(57)【要約】      （修正有）【課題】持ち運びが便利で、取り外したり収納したりすることが簡単で、且つ繰り返しユニットの取り付けまたは取り外しの必要が無い照明カバーを提供する。【解決手段】被写体を撮影するための照明カバーであって、多軸孔ベース１と、複数の支持条体２と布部材３を含み、各支持条体の一端が多軸孔ベースに枢接されると共に多軸孔ベースに対し展開位置および収合位置の間で枢転され、各支持条体の枢転軸線が互いに平行または互いに共軸であり、各支持条体が展開位置に位置する際に枢転展開され、収合位置に位置する際に枢転収合する。布部材が複数の支持条体に敷設され、切り口３１を含み、切り口の両側に結合部が設置され、結合部を結合状態にする際に、布部材が複数の支持条体で支張されて照明カバー状になり、結合部を分離状態にすることで、複数の支持条体が逆方向に収合位置に枢転されて布部材を共同動作により収合することができる。【選択図】図１
0003212601.tif 000002
【実用新案登録請求の範囲】
【請求項１】
被写体を撮影するための照明カバーであって、
多軸孔ベースと、
それぞれの一端が前記多軸孔ベースに枢接され、前記多軸孔ベースに対し展開位置および収合位置の間で枢転可能であり、それぞれの枢転軸線が互いに平行または互いに共軸であり、前記展開位置に位置する際にそれぞれ放射状分布に枢転されて展開され、且つ前記収合位置に位置する際に枢転されて互いに収合する複数の支持条体と、
結合部を含み切り口を有し、前記複数の支持条体に敷設される布部材と、を含み、
前記切り口が前記布部材の外周縁から内部に延伸され、前記結合部がそれぞれ前記切り口の対応両側に設置され、前記結合部の互いに結合または分離することにより、前記切り口を閉じたり開いたりし、
前記複数の支持条体が前記展開位置に枢転し、且つ前記結合部を結合状態にする際に、前記布部材が前記複数の支持条体で支張することにより、照明カバー状の布体に形成され、
前記結合部を分離状態にする際に、前記切り口が開いて、前記切り口の対応両側から前記複数の支持条体を互いに逆方向に前記収合位置に枢転され、前記複数の支持条体に敷設した前記布部材が前記複数の支持条体の共同動作により収合することを特徴とする照明カバー。
【請求項２】
前記多軸孔ベースに固設され、ランプを結合するためのランプ連接部材をさらに含むことを特徴とする請求項１に記載の照明カバー。
【請求項３】
前記複数の支持条体の枢転軸線が互いに平行であり、且つ前記多軸孔ベースの中心に周回され、前記複数の支持条体が前記収合位置に位置する際に、互いに側辺相隣する方式で収合することを特徴とする請求項１に記載の照明カバー。
【請求項４】
前記多軸孔ベースの中心に設置され、ランプを套設するためのランプ設置孔を含むことを特徴とする請求項３に記載の照明カバー。
【請求項５】
前記多軸孔ベースに凸設され、前記複数の支持条体が前記収合位置および/または展開位置に位置する際に、前記収合位置および展開位置の間に限位されるように当止する複数の枢転位置決め部材をさらに含むことを特徴とする請求項３に記載の照明カバー。
【請求項６】
前記複数の支持条体が一つ以上の共軸の枢転軸線を有し、且つ前記共軸の枢転軸線が他の枢転軸線と互いに平行であることを特徴とする請求項１に記載の照明カバー。
【請求項７】
前記複数の支持条体の枢転軸線が互いに共軸であり、前記複数の支持条体が重畳設置されることにより前記多軸孔ベースに枢接され、前記複数の支持条体が前記収合位置に位置する際に、互いに上下表面相隣する方式で収合することを特徴とする請求項１に記載の照明カバー。
【請求項８】
前記多軸孔ベースがランプの一部として設置されることを特徴とする請求項１に記載の照明カバー。
【請求項９】
前記複数の支持条体が強化部と、条体部を有し、前記強化部の一端が前記多軸孔ベースに枢接され、且つ前記強化部の他端が前記条体部の一端に套設または圧接することによって、前記条体部と支持条体に形成されることを特徴とする請求項１に記載の照明カバー。
【請求項１０】
前記複数の支持条体が強化部と、条体部を有し、前記強化部の一端が前記多軸孔ベースに枢接され、且つ前記強化部の他端が前記条体部の一端に套設または圧接することによって、前記条体部と支持条体に形成され、且つ套設または圧接された前記条体部の一端が前記強化部と共に前記多軸孔ベースに枢接されることを特徴とする請求項１に記載の照明カバー。
【考案の詳細な説明】
【技術分野】
【０００１】
本考案は照明カバーに関するものであって、特に撮影用の照明カバーである。
【背景技術】
【０００２】
撮影とは光線と画像によって作品を構成することである。その為、撮影にとって光線は非常に重要である。撮影する際に、ほとんどの場合、既に環境中に存在する光と被写体は良い作品の構成をなすことはなく、良い作品を撮影するには、ランプと照明カバーで必要な光線を作り上げて、適切な光線を被写体に投影することによってはじめてプロの作品を完成することができる。その為、高要求の撮影者またはプロの撮影者がたいてい照明カバー及びランプを持ち歩くことにより、最も良い撮影品質を得ることができる。
【０００３】
既存の照明カバーはほとんど一体構造であるため、体積が大きすぎると持ち歩く時に収納不便になる。一方、一部の照明カバーは複数の着脱可能な照明カバーユニット（例えばカバー、フレーム及びホルダーで構成され、移動が必要とする際に、前記照明カバーユニットを外して体積を縮めてから照明カバーが収納され、次の撮影場所に到達した後、再度前記照明カバーユニットを組み合わせて照明カバーを展開させる）がある。しかし、取り外したり収納及び取り付け展開したりする過程が非常に手間がかかり、何回も移動する際に照明カバーを繰り返し収納及び取り付けることがさらに使用者の不便やパーツの紛失を招くことになる。
【０００４】
また、既存の傘式の照明カバーは、照明カバーのホルダーとして傘骨構造を利用している。照明カバーのユニットは複数の親骨、受骨、中棒及び連接部材等を含み、ユニットの生産プロセスが繁雑になるため、普通には傘骨の専業生産設備しか生産できない。小型の照明カバーは収納及び使用するには便利だが、大型の傘式の照明カバーだと重量が重く、且つ中棒が長すぎるため使用するには不便である。
【０００５】
上記の内容に鑑み、従来の技術の照明カバーが持ち運びに不便であり、パーツの紛失を招き、取り外し及び取り付けの手間がかかり、生産プロセスが繁雑及び使用不便などの欠点があるため、照明カバーの改良が必要となる。
【考案の概要】
【考案が解決しようとする課題】
【０００６】
そこで、本考案は、前述のような問題を解決するために、持ち運び便利、取り外し収納することが簡単、且つ繰り返しユニットの取り付けまたは取り外しの必要が無い照明カバーを提供することを目的とする。
【課題を解決するための手段】
【０００７】
上記目的を達成するために、本考案が提供する照明カバーは、
被写体を撮影するための照明カバーであって、
多軸孔ベースと、
それぞれの一端が前記多軸孔ベースに枢接され、前記多軸孔ベースに対し展開位置および収合位置の間で枢転可能であり、それぞれの枢転軸線が互いに平行または互いに共軸であり、前記展開位置に位置する際にそれぞれ放射状分布に枢転されて展開され、且つ前記収合位置に位置する際に枢転されて互いに収合する複数の支持条体と、
結合部を含み切り口を有し、前記複数の支持条体に敷設される布部材と、を含み
前記切り口が前記布部材の外周縁から内部に延伸され、前記結合部がそれぞれ前記切り口の対応両側に設置され、前記結合部の互いに結合または分離することにより、前記切り口を閉じたり開いたりし、
前記複数の支持条体が前記展開位置に枢転し、且つ前記結合部を結合状態にする際に、前記布部材が前記複数の支持条体で支張することにより、照明カバー状の布体に形成され、
前記結合部を分離状態にする際に、前記切り口を開いて、前記切り口の対応両側から前記複数の支持条体を互いに逆方向に前記収合位置に枢転され、前記複数の支持条体に敷設した前記布部材が前記複数の支持条体の共同動作により収合することを特徴とする照明カバーである。
【０００８】
本考案の一態様として、前記多軸孔ベースに固設され、ランプを結合するためのランプ連接部材がさらに含まれてもよい。
【０００９】
本考案の一態様として、前記複数の支持条体の枢転軸線が互いに平行であり、且つ前記多軸孔ベースの中心に周回され、前記複数の支持条体が前記収合位置に位置する際に、互いに側辺相隣する方式で収合してもよい。
【００１０】
本考案の一態様として、前記多軸孔ベースの中心に設置され、ランプを套設するためのランプ設置孔が含まれてもよい。
【００１１】
本考案の一態様として、前記多軸孔ベースに凸設され、前記複数の支持条体が前記収合位置および/または展開位置に位置する際に、前記収合位置および展開位置の間に限位されるように当止する複数の枢転位置決め部材がさらに含まれてもよい。
【００１２】
本考案の一態様として、前記複数の支持条体が一つ以上の共軸の枢転軸線を有し、且つ前記共軸の枢転軸線が他の枢転軸線と互いに平行であってもよい。
【００１３】
本考案の一態様として、前記複数の支持条体の枢転軸線が互いに共軸であり、前記複数の支持条体が重畳設置されることにより前記多軸孔ベースに枢接され、前記複数の支持条体が前記収合位置に位置する際に、互いに上下表面相隣する方式で収合してもよい。
【００１４】
本考案の一態様として、前記多軸孔ベースがランプの一部として設置されてもよい。
【００１５】
本考案の一態様として、前記複数の支持条体が強化部と、条体部を有し、前記強化部の一端が前記多軸孔ベースに枢接され、且つ前記強化部の他端が前記条体部の一端に套設または圧接することによって、前記条体部と支持条体に形成されてもよい。
【００１６】
本考案の一態様として、前記複数の支持条体が強化部と、条体部を有し、前記強化部の一端が前記多軸孔ベースに枢接され、且つ前記強化部の他端が前記条体部の一端に套設または圧接することによって、前記条体部と支持条体に形成され、且つ套設または圧接された前記条体部の一端が前記強化部と共に前記多軸孔ベースに枢接されてもよい。
【考案の効果】
【００１７】
以上のように、本考案によれば、切り口を開いて前記複数の支持条体を前記収合位置に枢転されることにより、照明カバーが持ち運びやすくなり、または前記複数の支持条体を前記展開位置に枢転して且つ切り口を閉じることにより、照明カバーが展開使用可能になる。使用者が簡単に収納面積を縮小すると共に展開使用の用途も完成できるため、携帯性及び実用性が良い照明カバーが簡単に達成することができる。
【００１８】
以下の実施形態及び添付図面により、本考案で採用された具体実施形態を具体的に説明する。当技術分野に精通した者は本実施形態を精読することで本考案を実現することができる。
【図面の簡単な説明】
【００１９】
【図１】本考案の実施形態に係る複数の支持条体の枢転軸線が互いに平行の照明カバーを示す立体図である。
【図２Ａ】本考案の実施形態に係る複数の支持条体の枢転軸線が互いに平行の照明カバーの一部を示す立体図である。
【図２Ｂ】本考案の別の実施形態に係る複数の支持条体の枢転軸線が互いに平行の照明カバーの一部を示す立体図である。
【図２Ｃ】本考案の別の実施形態に係る複数の支持条体の枢転軸線が互いに平行の照明カバーの一部を示す立体図である。
【図２Ｄ】本考案の別の実施形態に係る複数の支持条体の枢転軸線が互いに平行の照明カバーの一部を示す立体図である。
【図３】本考案の実施形態に係る複数の支持条体の枢転軸線が互いに平行の照明カバーが収合状態の部分平面図である。
【図４Ａ】本考案の実施形態に係る複数の支持条体の枢転軸線が互いに平行の照明カバーの使用例を示す図である。
【図４Ｂ】本考案の別の実施形態に係る複数の支持条体の枢転軸線が互いに平行の照明カバーの使用例を示す図である。
【図４Ｃ】本考案の別の実施形態に係る複数の支持条体の枢転軸線が互いに平行の照明カバーの使用例を示す図である。
【図４Ｄ】本考案の別の実施形態に係る複数の支持条体の枢転軸線が互いに平行の照明カバーの使用例を示す図である。
【図５Ａ】本考案の別の実施形態に係る複数の支持条体の枢転軸線が互いに平行の照明カバーの使用例を示す図である。
【図５Ｂ】本考案の別の実施形態に係る複数の支持条体の枢転軸線が互いに平行の照明カバーの使用例を示す図である。
【図５Ｃ】本考案の別の実施形態に係る複数の支持条体の枢転軸線が互いに平行の照明カバーの使用例を示す図である。
【図５Ｄ】本考案の別の実施形態に係る複数の支持条体の枢転軸線が互いに平行の照明カバーの使用例を示す図である。
【図５Ｅ】本考案の別の実施形態に係る複数の支持条体の枢転軸線が互いに平行の照明カバーの使用例を示す図である。
【図６】本考案の別の実施形態に係る複数の支持条体の枢転軸線が互いに共軸の照明カバーを示す立体図である。
【図７Ａ】本考案の別の実施形態に係る複数の支持条体の枢転軸線が互いに共軸の照明カバーの一部を示す立体図である。
【図７Ｂ】本考案の別の実施形態に係る複数の支持条体の枢転軸線が互いに共軸の照明カバーの一部を示す立体図である。
【図８Ａ】本考案の別の実施形態に係る複数の支持条体の枢転軸線が互いに共軸の照明カバーの使用例を示す図である。
【図８Ｂ】本考案の別の実施形態に係る複数の支持条体の枢転軸線が互いに共軸の照明カバーの使用例を示す図である。
【図８Ｃ】本考案の別の実施形態に係る複数の支持条体の枢転軸線が互いに共軸の照明カバーの使用例を示す図である。
【図８Ｄ】本考案の別の実施形態に係る複数の支持条体の枢転軸線が互いに共軸の照明カバーの使用例を示す図である。
【図９Ａ】本考案の別の実施形態に係る複数の支持条体の枢転軸線が互いに共軸の照明カバーの使用例を示す図である。
【図９Ｂ】本考案の別の実施形態に係る複数の支持条体の枢転軸線が互いに共軸の照明カバーの使用例を示す図である。
【図９Ｃ】本考案の別の実施形態に係る複数の支持条体の枢転軸線が互いに共軸の照明カバーの使用例を示す図である。
【図９Ｄ】本考案の別の実施形態に係る複数の支持条体の枢転軸線が互いに共軸の照明カバーの使用例を示す図である。
【考案を実施するための形態】
【００２０】
以下図１から図９Ｄに基づいて、本考案の実施形態について説明する。該当説明は本考案の実施形態の一つの例示にすぎず、本考案の実施形態を限定するものではない。
【００２１】
図１及び図６が示すように、本考案の実施形態に係る照明カバー１００は、ランプＬを設置することによりランプＬの照明範囲（図５Ａ〜図５Ｅ及び図９Ａ〜図９Ｄに示す）を制御するための照明カバーであって、多軸孔ベース１と、複数の支持条体２と及び布部材３を含み、前記複数の支持条体２の一端が前記多軸孔ベース１に枢接され、前記多軸孔ベース１に対し展開位置および収合位置の間で枢転可能であり、前記複数の支持条体２の枢転軸線が互いに平行（図１〜図５Ｅに示す）または互いに共軸（図６〜図９Ｄに示す）であり、前記展開位置に位置する際に前記複数の支持条体２が放射状分布に枢転されて展開され、且つ前記収合位置に位置する際に前記複数の支持条体２が枢転されて互いに収合し、前記布部材３が前記複数の支持条体２に敷設され、且つ切り口３１を有し、前記切り口３１が結合部３１１、３１２を含み、前記切り口３１が前記布部材３の外周縁から内部に延伸され、前記結合部３１１，３１２がそれぞれ前記切り口の対応両側に設置されている。
【００２２】
図４Ａ〜図４Ｄ及び図８Ａ〜図８Ｄに示すように、前記照明カバー１００が展開状態及び収合状態を有する。前記照明カバー１００が展開状態にする際に、前記複数の支持条体２が放射状分布に枢転されて展開位置に展開され、前記布部材３と前記複数の支持条体２からなる骨組体が共同で前記展開位置に枢転し、且つ結合部３１１、３１２が前記結合位置に切り口３１を閉じる際に、前記布部材３が前記複数の支持条体２で支張することにより、照明カバー状の布体に形成される。前記布部材３の前記結合部３１１、３１２を前記分離状態にすることにより前記切り口３１が開いて、且つ前記切り口３１の対応両側から互いに逆方向に枢転されることにより、共同で前記布部材３と前記複数の支持条体２からなる骨組体を前記収合位置に枢転される（図４Ｄ及び図８Ｄ）。即ち、前記複数の支持条体２が互いに収合状態にすると、前記複数の支持条体２に敷設した前記布部材３が前記複数の支持条体２の共同動作により収合されて前記照明カバー１００を収合状態にする。前記照明カバー１００を収合状態から展開状態にする際に、上記の動作の反対の操作で行えばよい。
【００２３】
詳細には、本考案の前記複数の支持条体２が前記多軸孔ベース１に対して二種類の枢転状態があり、一つは前記複数の支持条体２の枢転軸線が互いに平行であり（図１〜図５Ｅに示す）、もう一つは前記複数の支持条体２の枢転軸線が互いに共軸である（図６〜図９Ｄに示す）。
【００２４】
前記複数の支持条体２の枢転軸線が互いに平行の状況の場合：
【００２５】
本考案の実施形態では（図１〜図５Ｂに示す）、前記多軸孔ベース１がリング体であって、リング体の中心にはランプＬを套設するためのランプ設置孔１１を含む。本考案の別の実施形態では、前記多軸孔ベース１がシート体であって、シート体の中心には孔がない（図５Ｄ及び図５Ｅに示す）。
【００２６】
本考案の実施形態では（図２Ａ〜図２Ｃに示す）、前記複数の支持条体２が長い条状の条体であって、前記複数の支持条体２の一端が貫通孔を有する。本考案の別の実施形態では（図２Ｄに示す）、前記複数の支持条体２が円柱状の条体であって、且つその一端が貫通孔を有する。前記複数の支持条体２がネジベアリングＢにより前記複数の支持条体２の貫通孔を貫通され、これにより前記複数の支持条体２の一端が前記多軸孔ベース１に枢接される。もちろん、本考案はこれに限定されず、前記複数の支持条体２が他の方法で前記多軸孔ベース１に枢接されてもよい。
【００２７】
好ましくは、図２Ａに示すように、前記複数の支持条体２と前記ネジベアリングＢの間にネジワッシャＧが設置されており、前記複数の支持条体２と前記多軸孔ベース１の間にもう一つのネジワッシャＧが設置されている。前記複数の支持条体２と前記ネジベアリングＢの間の圧力及び前記複数の支持条体２と前記多軸孔ベース１の間の圧力をネジワッシャＧにより吸収することで、各部材の間の接触による摩耗を防止すると共に枢転する際の接触面積も減少し、より滑らかな枢転をすることになる。
【００２８】
本考案の実施形態では（図１〜図４Ｄに示す）、前記多軸孔ベース１の中心に前記ランプ設置孔１１が設置されている、前記複数の支持条体２の一端がそれぞれ前記多軸孔ベース１に枢接され、かつ枢接された一端が等間隔で前記多軸孔ベース１の中心及び前記ランプ設置孔の周縁に周設されている。もちろん、本考案はこれに限定されない、前記多軸孔ベース１に前記ランプ設置孔１１を設置しなくてもよく、前記複数の支持条体２が等間隔で前記多軸孔ベース１の中心の周縁に周設されてもよい。前記複数の支持条体２が設計の要求に応じて、任意な間隔で前記多軸孔ベース１の中心の周縁に周設されてもよい。前記複数の支持条体２が前記多軸孔ベース１の同側の表面に枢接され、これにより前記複数の支持条体２の枢接端を同じ平面に枢転される。即ち、枢転軸線Ａが互いに平行し（図２Ａに示す）、且つランプ設置孔１１の周縁に枢転される。前記複数の支持条体２が収合位置に位置する際に、互いに側辺相隣する方式で収合されている（図３に示す）。
【００２９】
本考案の別の実施形態（図２Ｄに示す）では、前記複数の支持条体２が一つ以上の共軸の枢転軸線を有し、前記共軸の枢転軸線には一つの枢転軸線に二つ以上の支持条体２を枢設され、且つ前記共軸の枢転軸線が他の枢転軸線と互いに平行である。図２Ｄに示すように、前記複数の支持条体２が十二本の支持条体２であって、前記十二本の支持条体２が一組二本の支持条体２で一緒に共軸の枢転軸線に枢接され、これにより六本の共軸の枢転軸線を形成され、且つ前記六本の共軸の枢転軸線が互いに平行である。もちろん、本考案はこれに限定されず、前記複数の支持条体２が必要に応じて異なる数で（一つまたは多数で）それぞれ互いに平行の枢転軸線に枢接される。また、互いに共軸の枢転軸線（一つの枢転軸線に二つ以上の支持条体２を枢設する）及び共軸しない枢転軸線（一つの枢転軸線に一つの支持条体２を枢設する）が両方同時に存在方式で設置されてもよい。
【００３０】
好ましくは、前記複数の支持条体２の枢接端と枢接端の間には複数の枢転位置決め部材５を設置されていることである（図２Ａ及び図２Ｃに示す）。前記枢転位置決め部材５が前記多軸孔ベース１に凸設され、前記枢転位置決め部材５を凸設することにより前記複数の支持条体２を前記収合位置または展開位置に当止されて前記収合位置または展開位置に前記複数の支持条体２が限位（限定）される。図３に示すように、前記収合位置に位置する際に、前記枢転位置決め部材５によって前記複数の支持条体２を限位し、前記複数の支持条体２を特定方向に枢転されるように収合されて互いに側辺相隣する方式で収合され、前記特定方向と反した向きに枢転されると前記複数の支持条体２を当止することができる。図２Ｃに示すように、前記展開位置に位置する際に、前記枢転位置決め部材５によって前記複数の支持条体２を放射状分布に枢転されて限位される。
【００３１】
前記複数の支持条体２の枢転軸線が互いに共軸の状況の場合：
【００３２】
本考案の実施形態では（図６〜図９Ｄに示す）、前記多軸孔ベース１がネジベアリングＢである。前記複数の支持条体２が長い条状の条体であって、支持条体２の一端が貫通孔を有する。多軸孔ベース１が、即ちネジベアリングＢを前記複数の支持条体２の貫通孔に貫通すると、前記複数の支持条体２が上下の順に重なり、且つその一端が前記多軸孔ベース１に共軸枢接される（図７Ａに示す）。もちろん、本考案はこれに限定されず、前記複数の支持条体２が他の方式で前記多軸孔ベース１に枢接されてもよい。前記複数の支持条体２が前記収合位置に位置する際に互いに上下表面相隣する方式で収合される（図８Ｄに示す）。
【００３３】
好ましくは、図２Ａ〜図２Ｃ及び図７Ａ〜図７Ｂに示すように、前記複数の支持条体２が幅方向より厚み方向が薄い条状の支持条体２であって、且つその条状の支持条体２の厚み方向が前記枢転軸線Ａと平行することにより、薄い厚みで前記多軸孔ベース１に平行枢転されることである。前記複数の支持条体２の枢転軸線が互いに平行または共軸状態にしても、前記複数の支持条体２が前記収合位置に位置する際に薄い厚み方向で枢転されて互いに薄い厚みで相隣する方式で収合するまたは重合され、これにより支持条体２を収合する際の厚みを薄くして、収納しやすくなる。もちろん、本考案はこれに限定されず、前記複数の支持条体が円柱状の支持条体２であってもよい。
【００３４】
好ましくは、図２Ａ、図２Ｃ及び図７Ｂに示すように、前記複数の支持条体２が強化部２１、条体部２２を含み、前記強化部２１の一端が前記多軸孔ベース１に枢接され、且つ前記強化部２１の他端が前記条体部２２の一端に套設または圧接することによって、前記条体部２２と支持条体２に形成され、これにより前記複数の支持条体２と前記多軸孔ベース１の連結端部の構造を強化することができる。本考案の実施形態では、前記条体部２２を套設または圧接した一端が前記強化部２１と共同に前記多軸孔ベース１に枢接すると、さらに前記複数の支持条体２と前記多軸孔ベース１の連結端部の構造を強化すると共に変形しにくくする。なお、前記条体部２２を直接に前記多軸孔ベース１に枢接することにより前記条体部２２の脱落を防止することができる。もちろん、本考案はこれに限定さずい、前記複数の支持条体２が長い条状の条体だけでもよく、図２Ｂ及び図７Ａに示すように、前記複数の支持条体２が前記強化部２１を有しない構造である。
【００３５】
図１及び図６に示すように、前記複数の支持条体２に敷設する前記布部材３が前記複数の支持条体２からなる骨組体と共同で前記多軸孔ベース１に枢転される。本考案の実施形態では、前記布部材３が反射面を有する布体であって、ランプＬの照明光を反射するために使用される。もちろん、本考案はこれに限定されず、前記布部材３が半透明の布体であってもよく、ランプＬの照明光を透射するために使用される。前記布部材３が前記結合部３１１、３１２により開閉する切り口３１を有し、前記切り口３１が前記布部材３の外周縁から内部に反射状の前記布部材３の上端に延設され、且つ前記支持条体２と相隣する支持条体２の間に位置される。前記切り口３１の両側にはそれぞれ結合部３１１と結合部３１２を設置される。前記結合部３１１と前記結合部３１２が対応的に設置したチャック、マジックテープ（登録商標）、係合部または他の開閉可能な構成であって、前記開閉可能な構成を互いに結合するまたは分離することにより前記切り口３１を閉じたり開いたりすることができる。本考案の実施形態では、前記布部材３が前記複数の支持条体２に対応する放射状に分布する複数の挿入槽を有し、前記複数の支持条体２をそれぞれ前記複数の挿入槽に挿入することにより、前記布部材３を前記複数の支持条体２に固定され、且つ前記複数の支持条体２が前記展開位置に位置する際に、前記布部材３が前記複数の支持条体２で支張することにより、照明カバー状に形成することができる。もちろん、本考案はこれに限定されず、前記布部材３が他の方式で前記複数の支持条体２に固定されてもよい。なお、異なるランプの異なる寸法に応じて、前記布部材３の中間部には前記ランプＬと対応する開け孔３２を設置してもよく（図９Ｃ及び図９Ｄに示す）、この開け孔３２により前記ランプＬが貫設される。
【００３６】
本考案の実施形態に係る照明カバー１００が前記ランプＬに設置することにより前記ランプＬの照明光を透射又は反射することができ、前記照明カバー１００を設置するには多くの方法があり、たとえば使用者の要求に応じて複数の組合せ型で応用に配合され、前記照明カバー１００をランプＬの前面または背面に配置されてランプ連接部材４によりランプＬに連結することができ、さらに他の特殊方式で前記ランプＬに設置されてもよく、たとえば前記照明カバー１００がランプＬと連結せずに、ランプの照明範囲内に設置されてもよい。図５Ａ、図５Ｂの実施形態では、前記多軸孔ベース１の前記ランプ設置孔１１の周縁に前記ランプ連接部材４を固設され、前記ランプ設置孔１１に套設するランプＬが前記ランプ連接部材４により前記多軸孔ベース１に固定される。本考案の別の実施形態では、図５Ｄ及び図５Ｅに示すように、前記多軸孔ベース１には前記ランプ連接部材４が固設され、前記ランプ連接部材４によりランプＬと連結される。本考案の別の実施形態では、図５Ｃに示すように、前記多軸孔ベース１が直接にランプＬと結合してもよく、これにより前記照明カバー１００がランプＬの一部と一体化になり、部品全体として交換し易くなる。図９Ａ〜図９Ｄに示した実施形態では、前記多軸孔ベース１に前記ランプ連接部材４が設置されており、前記照明カバー１００が前記ランプ連接部材４により異なる方式でランプと連結される。
【００３７】
上記した構造により明らかな様に、本考案の照明カバー１００によれば、前記複数の支持条体２と前記布部材３共同で前記展開位置に枢転し、且つ前記布部材３の切り口３１を閉じることにより、前記照明カバー１００を展開状態にすることができ、且つ前記布部材３の切り口３１を開いて及び前記複数の支持条体２と前記布部材３共同で前記収合位置に枢転することにより、前記照明カバー１００を収合状態にすることができ、これにより前記照明カバー１００を速やかに展開状態及び収合状態にすることができるため、携帯性及び実用性が良い照明カバーが簡単に達成することができる。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００３９】
１００  照明カバー
１  多軸孔ベース
１１  ランプ設置孔
２  支持条体
２１  強化部
２２  条体部
３  布部材
３１  切り口
３１１、３１２  結合部
３２  開け孔
４  ランプ連接部材
５  枢転位置決め部材
Ａ  枢転軸線
Ｂ  ネジベアリング
Ｇ  ネジワッシャ
Ｌ  ランプ
【図１】
0003212601.tif 000003
【図２Ａ】
0003212601.tif 000004
【図２Ｂ】
0003212601.tif 000005
【図２Ｃ】
0003212601.tif 000006
【図２Ｄ】
0003212601.tif 000007
【図３】
0003212601.tif 000008
【図４Ａ】
0003212601.tif 000009
【図４Ｂ】
0003212601.tif 000010
【図４Ｃ】
0003212601.tif 000011
【図４Ｄ】
0003212601.tif 000012
【図５Ａ】
0003212601.tif 000013
【図５Ｂ】
0003212601.tif 000014
【図５Ｃ】
0003212601.tif 000015
【図５Ｄ】
0003212601.tif 000016
【図５Ｅ】
0003212601.tif 000017
【図６】
0003212601.tif 000018
【図７Ａ】
0003212601.tif 000019
【図７Ｂ】
0003212601.tif 000020
【図８Ａ】
0003212601.tif 000021
【図８Ｂ】
0003212601.tif 000022
【図８Ｃ】
0003212601.tif 000023
【図８Ｄ】
0003212601.tif 000024
【図９Ａ】
0003212601.tif 000025
【図９Ｂ】
0003212601.tif 000026
【図９Ｃ】
0003212601.tif 000027
【図９Ｄ】
0003212601.tif 000028